(57)【特許請求の範囲】
【請求項１】
基準信号を含む下り回線の信号の第１の周波数帯域の受信電力を測定する第１の測定部と、
該下り回線の信号の第２の周波数帯域の受信電力を測定する第２の測定部と、
該第１の測定部により測定された受信電力および該第２の測定部により測定された受信電力に基づいて、該基準信号の受信電力を推定する推定部と、
を備えることを特徴とする無線通信装置。
【請求項２】
前記第１の周波数帯域は、前記基準信号の周波数を含み、前記第２の周波数帯域は、システムの周波数帯域、該システムの周波数帯域のうちの前記第１の周波数帯域を除く周波数帯域、または該システムの周波数帯域のうちの任意の一部の周波数帯域、のいずれかであることを特徴とする請求項１に記載の無線通信装置。
【請求項３】
前記下り回線の信号の受信状態に基づいて、前記第２の周波数帯域を、システムの周波数帯域、該システムの周波数帯域のうちの前記第１の周波数帯域を除く周波数帯域、または該システムの周波数帯域のうちの任意の一部の周波数帯域、のうちの２または３の周波数帯域の間で動的に切り替える切替部、を備えることを特徴とする請求項２に記載の無線通信装置。
【請求項４】
基準信号を含む下り回線の信号を送信する基地局、該基地局から送信された下り方向の信号を受信する端末局、および該基地局と該端末局との間で信号を中継する中継局、を備え、
該中継局は、該基準信号を含む下り回線の信号の第１の周波数帯域の受信電力を測定する第１の測定部と、該下り回線の信号の第２の周波数帯域の受信電力を測定する第２の測定部と、該第１の測定部により測定された受信電力および該第２の測定部により測定された受信電力に基づいて、該基準信号の受信電力を推定する推定部と、を備えることを特徴とする無線通信システム。
【請求項５】
基準信号を含む下り回線の信号の第１の周波数帯域の受信電力を測定する第１の測定ステップと、
該下り回線の信号の第２の周波数帯域の受信電力を測定する第２の測定ステップと、
該第１の測定ステップで測定された受信電力および該第２の測定ステップで測定された受信電力に基づいて、該基準信号の受信電力を推定する推定ステップと、
を含むことを特徴とする無線通信方法。
【発明の詳細な説明】
【技術分野】
【０００１】
この発明は、無線通信装置、無線通信システムおよび無線通信方法に関する。
【背景技術】
【０００２】
従来、無線通信装置の一つとして、パイロットチャネル中継装置が知られている。この中継装置においては、所定の無線基地局から送信された下り回線信号が、指向性を有する第１アンテナにより受信されて入力される。そして、中継装置は、無線基地局から送信される下り回線信号の周波数帯域に属する信号のみを選択して増幅し、増幅した信号を第２アンテナを介して送信する。中継装置から送信される信号を受信可能な範囲においては、所定の無線基地局から送信された下り回線信号の受信電力レベルが、他の無線基地局から送信された下り回線信号の受信電力レベルより高くなるため、移動機は、中継装置により中継された信号の送信元の無線基地局を通信先として選択する（例えば、特許文献１参照。）。
【先行技術文献】
【特許文献】
【０００３】
【特許文献１】特開２００６−１６５８６１号公報
【発明の概要】
【発明が解決しようとする課題】
【０００４】
しかしながら、中継装置として用いられる従来の無線通信装置には、受信した信号の復調や復号を行わずに、受信した信号をそのまま増幅して再度送信する装置がある。このような無線通信装置では、受信した信号を再度送信する際に、基地局が送信する同期信号や報知信号を識別することができない。また、受信した信号には、同期信号や報知信号の他に、データ信号も含まれている。そのため、無線品質を判断することができない、という問題点がある。
【０００５】
受信した信号に基づいて無線品質を判断することができる無線通信装置、無線通信システムおよび無線通信方法を提供することを目的とする。
【課題を解決するための手段】
【０００６】
この無線通信装置は、第１の測定部、第２の測定部および推定部を備えている。第１の測定部は、基準信号を含む下り回線の信号の第１の周波数帯域の受信電力を測定する。第２の測定部は、該下り回線の信号の第２の周波数帯域の受信電力を測定する。推定部は、該第１の測定部により測定された受信電力および該第２の測定部により測定された受信電力に基づいて、該基準信号の受信電力を推定する。
【発明の効果】
【０００７】
この無線通信装置、無線通信システムおよび無線通信方法によれば、受信した信号に基づいて無線品質を判断することができるという効果を奏する。
【図面の簡単な説明】
【０００８】
【図１】実施例１にかかる無線通信システムの一例を示すブロック図である。
【図２】実施例１にかかる無線通信装置の一例を示すブロック図である。
【図３】実施例１にかかる無線通信方法の一例を示すフローチャートである。
【図４】ＯＦＤＭＡ方式の無線フレームの一例を示す模式図である。
【図５】実施例２にかかる無線通信装置の一例を示すブロック図である。
【図６】実施例２にかかる無線通信装置における下り回線の受信電力の一例を示す特性図である。
【図７】実施例２にかかる無線通信装置における下り回線の受信電力の別の例を示す特性図である。
【図８】実施例２にかかる無線通信方法の一例を示すフローチャートである。
【図９】実施例３にかかる無線通信装置の一例を示すブロック図である。
【図１０】実施例３にかかる無線通信方法の一例を示すフローチャートである。
【図１１】実施例４にかかる無線通信装置の一例を示すブロック図である。
【図１２】実施例４にかかる無線通信方法の一例を示すフローチャートである。
【図１３】実施例４にかかる無線通信方法の一例を示すフローチャートである。
【図１４】実施例５にかかる無線通信装置の一例を示すブロック図である。
【図１５】実施例５にかかる無線通信方法の一例を示すフローチャートである。
【図１６】実施例６にかかる無線通信装置の一例を示すブロック図である。
【図１７】実施例６にかかる無線通信方法の一例を示すフローチャートである。
【発明を実施するための形態】
【０００９】
以下に添付図面を参照して、この無線通信装置、無線通信システムおよび無線通信方法の好適な実施の形態を詳細に説明する。無線通信装置、無線通信システムおよび無線通信方法は、基準信号を含む下り回線の信号の第１の周波数帯域と第２の周波数帯域のそれぞれについて受信電力を測定し、両受信電力に基づいて基準信号の受信電力を推定することで、無線品質を判断する。下り回線の信号は、基地局から端末局へ、または基地局から中継局を経由して端末局へ向かう。以下の各実施例の説明においては、同様の構成要素には同一の符号を付して、重複する説明を省略する。
【００１０】
（実施例１）
・無線通信システムの説明
図１は、実施例１にかかる無線通信システムの一例を示すブロック図である。図１に示すように、無線通信システムは、基地局（ＢＳ：Ｂａｓｅ  Ｓｔａｔｉｏｎ）１、無線通信装置として動作する中継局（ＲＳ：Ｒｅｌａｙ  Ｓｔａｔｉｏｎ）２、および端末局（ＭＳ＃１、ＭＳ＃２、ＭＳ：Ｍｏｂｉｌｅ  Ｓｔａｔｉｏｎ）３，４を含んでいる。図１において、符号５で示す円は、基地局１による基地局１との通信可能領域（セルまたはセクタ）を示し、符号６で示す円は、中継局２により拡張された基地局１との通信可能領域を示す。中継局２により、例えば、基地局１と、基地局１による基地局１との通信可能領域５の外にいる端末局４との無線品質が向上する。中継局２は、陸上や海上などに固定して設置されたり、バスや電車などの移動車両に設置されることがある。
【００１１】
・無線通信装置の説明
図２は、実施例１にかかる無線通信装置の一例を示すブロック図である。図２に示すように、無線通信装置として動作する中継局装置１１は、第１の測定部１２、第２の測定部１３および推定部１４を備えている。第１の測定部１２は、同期信号や報知信号などの基準信号を含む下り回線の信号の第１の周波数帯域の受信電力を測定する。第２の測定部１３は、下り回線の信号の第２の周波数帯域の受信電力を測定する。推定部１４は、第１の測定部１２により測定された受信電力および第２の測定部１３により測定された受信電力に基づいて、基準信号の受信電力を推定する。
【００１２】
・無線通信方法の説明
図３は、実施例１にかかる無線通信方法の一例を示すフローチャートである。図３に示すように、処理が開始されると、まず、中継局装置１１は、第１の測定部１２により、基準信号を含む下り回線の信号の第１の周波数帯域の受信電力を測定する（第１の測定ステップ、ステップＳ１）。また、中継局装置１１は、第２の測定部１３により、下り回線の信号の第２の周波数帯域の受信電力を測定する（第２の測定ステップ、ステップＳ２）。ステップＳ１およびステップＳ２は、いずれが先であってもよいし、同時でもよい。次いで、中継局装置１１は、推定部１４により、第１の測定ステップで測定された受信電力および第２の測定ステップで測定された受信電力に基づいて、基準信号の受信電力を推定する（推定ステップ、ステップＳ３）。そして、中継局装置１１は、処理を終了する。
【００１３】
実施例１によれば、第１の周波数帯域の受信電力および第２の周波数帯域の受信電力に基づいて、基準信号の受信電力を推定するので、中継局２（中継局装置１１）は、受信した信号に基づいて無線品質を判断することができる。その際、中継局装置１１は、受信した下り回線の信号を復調しなくてもよいし、復号しなくてもよい。つまり、受信信号を復調および復号しないで再度送信する非再生型の中継局装置において、無線品質を判断することができる。また、基地局１が同期信号や報知信号の送信電力を周期的に変更する無線通信システムにおいて、中継局２において、基地局１の送信電力の状況を判断することができる。
【００１４】
（実施例２）
実施例１にかかる無線通信システムの一例として、例えばＯｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ（ＯＦＤＭＡ、直交周波数分割多元接続）方式で無線通信を行うシステムが挙げられる。実施例２では、実施例１をＯＦＤＭＡ方式の無線通信システムに適用した例について説明する。なお、ＯＦＤＭＡ方式に限らず、他の通信方式の無線通信システムにも実施例１を適用することができる。
【００１５】
・無線フレームの説明
図４は、ＯＦＤＭＡ方式の無線フレームの一例を示す模式図である。図４に示すように、無線フレーム２１は、時間軸方向に複数個のシンボルに分割されている。無線フレーム２１は、周波数軸方向に複数個のサブキャリアに分割されている。複信方式がＦｒｅｑｕｅｎｃｙ  Ｄｉｖｉｓｉｏｎ  Ｄｕｐｌｅｘ（ＦＤＤ、周波数分割複信）方式である場合には、下り回線と上り回線とで無線フレームは同様の構成となる。下り回線では、同期信号や報知信号などの基準信号２２は、無線フレーム２１の所定のサブキャリアの所定のシンボルを用いて周期的に送信される。制御情報やデータ情報などのデータがある場合、データ信号２３は、無線フレーム２１のうちの、基準信号２２が割り当てられていない領域を用いて送信される。図示例のように、基準信号２２とデータ信号２３とが同一の周波数帯域に割り当てられることがある。
【００１６】
ＯＦＤＭＡ方式の無線通信システムの一例として、例えば第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において標準化が進められているＬｏｎｇ  Ｔｅｒｍ  Ｅｖｏｌｕｔｉｏｎ（ＬＴＥ、ロングタームエボリューション）システムが挙げられる。ＬＴＥシステムにおいては、前記基準信号の一例として、例えばＰｒｉｍａｒｙ  Ｓｙｎｃｈｒｏｎｉｚａｔｉｏｎ  Ｓｉｇｎａｌ（ＰＳＳ、１次同期信号）、Ｓｅｃｏｎｄａｒｙ  Ｓｙｎｃｈｒｏｎｉｚａｔｉｏｎ  Ｓｉｇｎａｌ（ＳＳＳ、２次同期信号）またはＰｈｙｓｉｃａｌ  Ｂｒｏａｄｃａｓｔ  Ｃｈａｎｎｅｌ（ＰＢＣＨ、報知物理チャネル）が挙げられる。なお、ＬＴＥシステムに限らず、他の無線通信システムにも実施例１を適用することができる。
【００１７】
・無線通信装置の説明
図５は、実施例２にかかる無線通信装置の一例を示すブロック図である。図５に示すように、無線通信装置として動作する中継局装置３１は、アンテナ部３２，３３、結合部３４，３５、フィルタ部３６，３７，３８，３９、増幅部４０，４１、調整部４２，４３、測定部４４，４５、推定部４６、電源部４７および記憶部４８を備えている。図５において、実線の矢印は信号線４９を表し、点線は制御線５０を表し、一点鎖線は電源線５１を表す。
【００１８】
第１のアンテナ部３２は、図示しない基地局、または自局と基地局との間にある他の中継局から送信された信号を受信する。第１のアンテナ部３２は、図示しない基地局、または自局と基地局との間にある他の中継局へ信号を送信する。第２のアンテナ部３３は、図示しない端末局、または自局と端末局との間にある他の中継局へ信号を送信する。第２のアンテナ部３３は、図示しない端末局、または自局と端末局との間にある他の中継局から送信された信号を受信する。
【００１９】
第１の結合部３４は、第１のアンテナ部３２から入力された信号を第１のフィルタ部３６へ出力する。第１の結合部３４は、第４のフィルタ部３９を通過した信号を第１のアンテナ部３２へ出力する。第２の結合部３５は、第２のフィルタ部３７を通過した信号を第２のアンテナ部３３へ出力する。第２の結合部３５は、第２のアンテナ部３３から入力された信号を第３のフィルタ部３８へ出力する。
【００２０】
第１のフィルタ部３６、第２のフィルタ部３７、第３のフィルタ部３８および第４のフィルタ部３９は、システムの周波数帯域の信号を通過させる。例えば複信方式がＦＤＤ方式である場合には、第１のフィルタ部３６および第２のフィルタ部３７の信号を通過させる周波数帯域と、第３のフィルタ部３８および第４のフィルタ部３９の信号を通過させる周波数帯域とは、異なっている。
【００２１】
第１の測定部４４は、第１のフィルタ部３６を通過した信号に対して第１の周波数帯域の受信電力を測定する。第１の周波数帯域には、基準信号の周波数が含まれている。第２の測定部４５は、第１のフィルタ部３６を通過した信号に対して第２の周波数帯域の受信電力を測定する。第２の周波数帯域は、例えば次の三つの周波数帯域のうちのいずれかである。例えば、第２の周波数帯域は、第１の周波数帯域を除くシステムの周波数帯域であってもよい（後述する第１の推定例を参照）。また、第２の周波数帯域は、システムの周波数帯域であってもよい（後述する第２の推定例を参照）。さらに、第２の周波数帯域は、システムの周波数帯域のうちの所定の周波数帯域であってもよい（後述する第３の推定例を参照）。
【００２２】
推定部４６は、第１の測定部４４により測定された受信電力および第２の測定部４５により測定された受信電力に基づいて、基準信号の受信電力を推定する。推定部４６は、基準信号の受信電力の推定値と稼働判定用の閾値とを比較することによって、中継局装置３１で中継動作を行うか否かを判定する。例えば、推定部４６は、基準信号の受信電力の推定値が稼働判定用の閾値よりも小さい場合に中継動作を行うと判定し、基準信号の受信電力の推定値が稼働判定用の閾値よりも小さくない場合に中継動作を行わないと判定してもよい。
【００２３】
第１の増幅部４０は、第１のフィルタ部３６を通過した信号を増幅して第２のフィルタ部３７へ出力する。第１の調整部４２は、基準信号の受信電力の推定値と増幅度決定用の閾値とを比較することによって、第１の増幅部４０の増幅度を調整する。第２の増幅部４１は、第３のフィルタ部３８を通過した信号を増幅して第４のフィルタ部３９へ出力する。第２の調整部４３は、基準信号の受信電力の推定値と増幅度決定用の閾値とを比較することによって、第２の増幅部４１の増幅度を調整する。
【００２４】
記憶部４８は、稼働判定用の閾値、増幅度決定用の閾値および増幅度を保持している。稼働判定用の閾値、増幅度決定用の閾値および増幅度は、予め設定されている。増幅度決定用の閾値および増幅度は、それぞれ基準信号の受信電力の推定値に応じて複数個設定されていてもよい。例えば、増幅度は、基準信号の受信電力の推定値が小さい場合に大きくなり、基準信号の受信電力の推定値が大きい場合に小さくなるように設定されていてもよい。電源部４７は、第１の増幅部４０、第２の増幅部４１、第１の調整部４２、第２の調整部４３、第１の測定部４４、第２の測定部４５、推定部４６および記憶部４８に、それら各部を動作させる駆動電圧を供給する。
【００２５】
・基準信号の受信電力の推定方法（第１の推定例）の説明
図６は、実施例２にかかる無線通信装置における下り回線の受信電力の一例を示す特性図である。図６において、基準信号の周波数は、周波数帯域Ｘに含まれている。システムの周波数帯域は、Ｚである。Ｙは、システムの周波数帯域Ｚのうち、周波数帯域Ｘを除く周波数帯域である。周波数帯域Ｘは第１の周波数帯域に相当し、周波数帯域Ｙは第２の周波数帯域に相当する。符号２６は基準信号の受信電力であり、符号２７は周波数帯域Ｘにおけるデータ信号の受信電力であり、符号２８は周波数帯域Ｙにおけるデータ信号の受信電力である。図６に示す例では、データ信号がシステムの周波数帯域にほぼ均等に割り当てられている。第１の推定例では、第１の測定部４４は、周波数帯域Ｘの受信電力を測定する。周波数帯域Ｘの受信電力は、基準信号の受信電力２６と周波数帯域Ｘにおけるデータ信号の受信電力２７との和になる。第２の測定部４５は、周波数帯域Ｙにおけるデータ信号の受信電力２８を測定する。周波数帯域Ｘの受信電力の測定値をＡとし、周波数帯域Ｙの受信電力の測定値をＢとする。周波数帯域Ｘの帯域幅をＷｘとし、周波数帯域Ｙの帯域幅をＷｙとする。この場合、推定部４６は、次の（１）式に従って、基準信号の受信電力Ｐを推定することができる。
Ｐ＝Ａ−Ｂ×Ｗｘ／Ｗｙ  ・・・（１）
【００２６】
・基準信号の受信電力の推定方法（第２の推定例）の説明
第２の推定例では、周波数帯域Ｘは第１の周波数帯域に相当し、周波数帯域Ｚは第２の周波数帯域に相当する。第１の測定部４４は、周波数帯域Ｘの受信電力を測定する。第２の測定部４５は、周波数帯域Ｚの受信電力を測定する。周波数帯域Ｚの受信電力は、基準信号の受信電力２６と周波数帯域Ｘにおけるデータ信号の受信電力２７と周波数帯域Ｙにおけるデータ信号の受信電力２８との和になる。周波数帯域Ｘの受信電力の測定値をＡとし、周波数帯域Ｚの受信電力の測定値をＣとする。周波数帯域Ｘの帯域幅をＷｘとし、周波数帯域Ｚの帯域幅をＷｚとする。この場合、推定部４６は、次の（２）式に従って、基準信号の受信電力Ｐを推定することができる。
Ｐ＝Ａ−（Ｃ−Ａ）×Ｗｘ／Ｗｚ  ・・・（２）
【００２７】
・基準信号の受信電力の推定方法（第３の推定例）の説明
図７は、実施例２にかかる無線通信装置における下り回線の受信電力の別の例を示す特性図である。図７において、基準信号の周波数は、周波数帯域Ｘに含まれている。図７に示す例では、データ信号は、システムの周波数帯域内の所定の周波数帯域Ｗから優先して割り当てられている。周波数帯域Ｘは第１の周波数帯域に相当し、周波数帯域Ｗは第２の周波数帯域に相当する。符号２９は、周波数帯域Ｗにおけるデータ信号の受信電力である。第３の推定例では、第１の測定部４４は、周波数帯域Ｘの受信電力を測定する。第２の測定部４５は、周波数帯域Ｗの受信電力を測定する。周波数帯域Ｘの受信電力の測定値をＡとし、周波数帯域Ｗの受信電力の測定値をＤとする。周波数帯域Ｘの帯域幅をＷｘとし、周波数帯域Ｗの帯域幅をＷｗとする。この場合、推定部４６は、次の（３）式に従って、基準信号の受信電力Ｐを推定することができる。
Ｐ＝Ａ−Ｄ×Ｗｘ／Ｗｗ  ・・・（３）
【００２８】
・無線通信方法の説明
図８は、実施例２にかかる無線通信方法の一例を示すフローチャートである。図８に示すように、処理が開始されると、まず、中継局装置３１は、電源部４７を稼働する（ステップＳ１１）。それによって、第１の増幅部４０、第２の増幅部４１、第１の調整部４２、第２の調整部４３、第１の測定部４４、第２の測定部４５、推定部４６および記憶部４８に駆動電圧が供給され、これら各部が稼働する。
【００２９】
次いで、中継局装置３１は、基地局から送信された下り回線の信号を受信する。受信した信号は、第１のアンテナ部３２、第１の結合部３４および第１のフィルタ部３６を経由して、第１の測定部４４および第２の測定部４５に渡される。第１の測定部４４は、第１のフィルタ部３６から渡された信号に対して、基準信号を含む第１の周波数帯域の受信電力を測定する。第２の測定部４５は、第１のフィルタ部３６から渡された信号に対して、第２の周波数帯域の受信電力を測定する。推定部４６は、第１の測定部４４により測定された第１の周波数帯域の受信電力、および第２の測定部４５により測定された第２の周波数帯域の受信電力に基づいて、基準信号の受信電力を推定する（ステップＳ１２）。
【００３０】
次いで、中継局装置３１は、推定部４６により、基準信号の受信電力の推定値と稼働判定用の閾値とを比較する（ステップＳ１３）。比較の結果、基準信号の受信電力の推定値が稼働判定用の閾値よりも小さくない場合（ステップＳ１３：Ｎｏ）、中継局装置３１での中継動作を行わずに、ステップＳ１２に戻り、ステップＳ１２およびステップＳ１３の処理を繰り返す。基準信号の受信電力の推定値が稼働判定用の閾値よりも小さい場合（ステップＳ１３：Ｙｅｓ）、中継局装置３１は、推定部４６により、基準信号の受信電力の推定値と増幅度決定用の閾値とを比較する（ステップＳ１４）。
【００３１】
中継局装置３１は、基準信号の受信電力の推定値に基づいて、第１の増幅部４０および第２の増幅部４１での増幅度を決定する（ステップＳ１５）。それによって、増幅度が、基準信号の受信電力の推定値に基づいて推定される無線品質に応じた大きさに決定される。中継局装置３１は、決定した増幅度でもって、基地局と端末局との間の信号の中継を開始する。そして、ステップＳ１２に戻り、中継局装置３１は、ステップＳ１２以降の動作を周期的に実施する。
【００３２】
・中継時の信号経路の説明
下り回線において、図示しない基地局または他の中継局から送信されてきた信号は、第１のアンテナ部３２、第１の結合部３４および第１のフィルタ部３６を経由して、第１の増幅部４０で受信され、第１の増幅部４０で増幅される。増幅された信号は、第２のフィルタ部３７および第２の結合部３５を経由して、第２のアンテナ部３３から図示しない端末局または他の中継局へ向けて送信される。一方、上り回線において、図示しない端末局または他の中継局から送信されてきた信号は、第２のアンテナ部３３、第２の結合部３５および第３のフィルタ部３８を経由して、第２の増幅部４１で受信され、第２の増幅部４１で増幅される。増幅された信号は、第４のフィルタ部３９および第１の結合部３４を経由して、第１のアンテナ部３２から図示しない基地局または他の中継局へ向けて送信される。
【００３３】
実施例２によれば、第１の周波数帯域の受信電力および第２の周波数帯域の受信電力に基づいて、基準信号の受信電力を推定するので、中継局装置３１は、受信した信号の復調や復号を行わなくても、無線品質を判断することができる。つまり、中継局装置３１が非再生型の中継局装置であっても、無線品質を判断することができる。また、基地局が同期信号や報知信号の送信電力を周期的に変更する無線通信システムにおいて、中継局装置３１は、基地局の送信電力の状況を判断することができる。また、中継局装置３１は、基準信号の受信電力の推定値に基づいて、中継動作を行うか否かを判断し、中継動作を行ったり停止したりすることができる。
【００３４】
なお、下り回線と上り回線とで、稼働判定用の閾値が異なっていたり、増幅度決定用の閾値が異なっていたりしてもよい。また、下り回線と上り回線とで、増幅度決定用の閾値に対応する増幅度が異なっていてもよい。このように、下り回線と上り回線とで閾値や増幅度が個別に設定されていると、下り回線と上り回線とで無線品質が異なっているような場合でも、下り回線および上り回線のそれぞれに適した中継を行うことができる。また、増幅度決定用の閾値の代わりに、予め増幅度決定用の数式を用意しておき、該数式と基準信号の受信電力の推定値とに基づいて、増幅度を決定するようにしてもよい。さらに、予め、第１の周波数帯域の受信電力の測定値および第２の周波数帯域の受信電力の測定値と、基準信号の受信電力の推定値との対応関係を規定するテーブルを用意しておき、該テーブルに基づいて基準信号の受信電力を推定するようにしてもよい。
【００３５】
（実施例３）
・無線通信装置の説明
図９は、実施例３にかかる無線通信装置の一例を示すブロック図である。実施例３は、実施例２において、第２の周波数帯域を動的に切り替えるようにした例である。図９に示すように、中継局装置６１は、実施例２の中継局装置３１における第２の測定部４５の代わりに、複数の第２の測定部を備えている。例えば、図９に示す例では、中継局装置６１には、第２−１の測定部６２および第２−２の測定部６３の２個の第２の測定部が設けられている。中継局装置６１は、切替部６４を備えている。
【００３６】
第２−１の測定部６２は、第２の周波数帯域として、基準信号を含む第１の周波数帯域を除くシステムの周波数帯域、すなわち前記周波数帯域Ｙの受信電力を測定する。第２−２の測定部６３は、第２の周波数帯域として、システムの周波数帯域内の所定の周波数帯域、すなわち前記周波数帯域Ｗの受信電力を測定する。切替部６４は、第２−１の測定部６２により測定された受信電力と、第２−２の測定部６３により測定された受信電力とを比較する。例えば、切替部６４は、第２−１の測定部６２により測定された受信電力と、第２−２の測定部６３により測定された受信電力との差分を求める。
【００３７】
例えば、切替部６４は、求めた差分が切替え判定用の閾値よりも大きい場合に、第２の周波数帯域の受信電力として、第２−１の測定部６２により測定された受信電力を選択する。データ信号がシステムの周波数帯域にほぼ均等に割り当てられている場合には、二つの受信電力の差分は、切替え判定用の閾値よりも大きくなる。例えば、切替部６４は、二つの受信電力の差分が切替え判定用の閾値よりも大きくない場合に、第２の周波数帯域の受信電力として、第２−２の測定部６３により測定された受信電力を選択する。データ信号がシステムの周波数帯域内の所定の周波数帯域から優先して割り当てられている場合には、二つの受信電力の差分は、切替え判定用の閾値よりも大きくならない。記憶部４８は、切替え判定用の閾値を保持している。切替え判定用の閾値は、予め設定されている。その他の構成は、実施例２と同様である。
【００３８】
・第２の周波数帯域の切り替え方法の説明
図１０は、実施例３にかかる無線通信方法における第２の周波数帯域の切り替え方法の一例を示すフローチャートである。図１０に示すように、第２の周波数帯域を切り替える処理が開始されると、まず、第２−１の測定部６２は、周波数帯域Ｙの受信電力を測定する（ステップＳ２１）。第２−２の測定部６３は、周波数帯域Ｗの受信電力を測定する（ステップＳ２２）。ステップＳ２１およびステップＳ２２は、いずれが先であってもよいし、同時でもよい。次いで、切替部６４は、例えば、第２−１の測定部６２により測定された受信電力と、第２−２の測定部６３により測定された受信電力との差分を求め、該差分と判定用の閾値とを比較する（ステップＳ２３）。
【００３９】
例えば、切替部６４は、求めた差分が切替え判定用の閾値よりも大きい場合（ステップＳ２３：Ｙｅｓ）、第２の周波数帯域の受信電力として、第２−１の測定部６２により測定された受信電力を選択する（ステップＳ２４）。一方、例えば、切替部６４は、求めた差分が切替え判定用の閾値よりも大きくない場合（ステップＳ２３：Ｎｏ）、第２の周波数帯域の受信電力として、第２−２の測定部６３により測定された受信電力を選択する（ステップＳ２５）。そして、中継局装置６１は、第２の周波数帯域を切り替える処理を終了する。第２の周波数帯域を切り替える処理は、中継局装置６１が稼働を開始するときに実施されたり、稼働中に周期的に実施される。基準信号の受信電力を推定し、増幅度を決定する処理については、実施例２と同様である。
【００４０】
実施例３によれば、実施例２と同様の効果が得られる。また、データ信号の割り当て状況に応じて、受信電力の測定対象となる第２の周波数帯域を切り替えることができる。なお、第２−１の測定部６２は、システムの周波数帯域、すなわち前記周波数帯域Ｚの受信電力を測定してもよい。
【００４１】
（実施例４）
・無線通信装置の説明
図１１は、実施例４にかかる無線通信装置の一例を示すブロック図である。実施例４は、実施例２において、第２の周波数帯域を動的に切り替えるようにした別の例である。図１１に示すように、中継局装置７１は、実施例２の中継局装置３１における第２の測定部４５の代わりに、一時的な周波数帯域の受信電力を測定する第２の測定部７２を備えている。中継局装置７１は、切替部７３を備えている。
【００４２】
切替部７３は、システムの周波数帯域を複数の周波数帯域に細分化する。切替部７３は、細分化された各周波数帯域を一時的な周波数帯域として第２の測定部７２に設定する。切替部７３は、第２の測定部７２により測定された一時的な周波数帯域の受信電力を割当て判定用の閾値と比較する。切替部７３は、第２の測定部７２により測定された一時的な周波数帯域の受信電力が割当て判定用の閾値よりも大きい場合、割当て判定用の閾値よりも受信電力が大きい一時的な周波数帯域の連続数をインクリメントする。例えば、切替部７３は、割当て判定用の閾値よりも受信電力が大きい一時的な周波数帯域の連続数をカウントするカウンタを備えている。切替部７３は、割当て判定用の閾値よりも受信電力が大きい一時的な周波数帯域の連続数を帯域判定用の閾値と比較する。
【００４３】
切替部７３は、割当て判定用の閾値よりも受信電力が大きい一時的な周波数帯域の連続数が、帯域判定用の閾値よりも大きい場合に、受信電力が割当て判定用の閾値よりも大きい、連続する一時的な周波数帯域の集合を、第２の測定部７２の周波数帯域として設定する。データ信号がシステムの周波数帯域内の所定の周波数帯域から優先して割り当てられている場合には、割当て判定用の閾値よりも受信電力が大きい一時的な周波数帯域の連続数が、帯域判定用の閾値よりも大きくなる。
【００４４】
切替部７３は、割当て判定用の閾値よりも受信電力が大きい一時的な周波数帯域の連続数が、帯域判定用の閾値よりも大きくならない場合に、システムの周波数帯域を、第２の測定部７２の周波数帯域として設定する。データ信号がシステムの周波数帯域にほぼ均等に割り当てられている場合には、割当て判定用の閾値よりも受信電力が大きい一時的な周波数帯域の連続数が、帯域判定用の閾値よりも大きくならない。
【００４５】
第２の測定部７２は、切替部７３により設定された一時的な周波数帯域の受信電力を測定する。記憶部４８は、一時的な周波数帯域の幅、割当て判定用の閾値および帯域判定用の閾値を保持している。一時的な周波数帯域の幅、割当て判定用の閾値および帯域判定用の閾値は、予め設定されている。記憶部４８は、第２の測定部７２により測定された一時的な周波数帯域の受信電力を保持する。その他の構成は、実施例２と同様である。
【００４６】
・第２の周波数帯域の切り替え方法の説明
図１２および図１３は、実施例４にかかる無線通信方法における第２の周波数帯域の切り替え方法の一例を示すフローチャートである。図１２に示すように、第２の周波数帯域を切り替える処理が開始されると、まず、切替部７３は、第２の測定部７２に一時的な周波数帯域を設定する（ステップＳ３１）。次いで、第２の測定部７２は、設定された一時的な周波数帯域の受信電力を測定する（ステップＳ３２）。測定された受信電力は、記憶部４８に保持される。そして、切替部７３は、全ての一時的な周波数帯域について受信電力の測定が終了したか否かを判断する（ステップＳ３３）。
【００４７】
全ての一時的な周波数帯域について受信電力の測定が終了していない場合（ステップＳ３３：Ｎｏ）、切替部７３および第２の測定部７２は、一時的な周波数帯域を例えば低い周波数帯域から順に変更しながら、ステップＳ３１およびステップＳ３２の処理を繰り返す。全ての一時的な周波数帯域について受信電力の測定が終了した場合（ステップＳ３３：Ｙｅｓ）、切替部７３は、記憶部４８から例えば低い周波数帯域順に一時的な周波数帯域を選択し、該一時的な周波数帯域の受信電力を読み出す（ステップＳ３４）。次いで、切替部７３は、一時的な周波数帯域の受信電力を割当て判定用の閾値と比較する（ステップＳ３５）。
【００４８】
一時的な周波数帯域の受信電力が割当て判定用の閾値よりも大きくない場合（ステップＳ３５：Ｎｏ）、図１３に示すように、切替部７３は、前記連続数を帯域判定用の閾値と比較する（ステップＳ３７）。前記連続数が帯域判定用の閾値よりも大きくない場合（ステップＳ３７：Ｎｏ）、切替部７３は、前記連続数を例えば０にリセットする（ステップＳ３９）。次いで、切替部７３は、全ての一時的な周波数帯域について割当て判定用の閾値との比較が終了したか否かを判断する（ステップＳ４０）。全ての一時的な周波数帯域について割当て判定用の閾値との比較が終了していない場合（ステップＳ４０：Ｎｏ）、切替部７３は、一時的な周波数帯域を例えば低い周波数帯域から順に変更しながら、ステップＳ３４以降の処理を繰り返す。
【００４９】
ステップＳ３４以降の処理を繰り返す中で、一時的な周波数帯域の受信電力が割当て判定用の閾値よりも大きくなった場合（ステップＳ３５：Ｙｅｓ）、切替部７３は、前記連続数をインクリメントする（ステップＳ３６）。また、最初にステップＳ３４で選択された一時的な周波数帯域の受信電力が割当て判定用の閾値よりも大きい場合も（ステップＳ３５：Ｙｅｓ）、切替部７３は、前記連続数をインクリメントする（ステップＳ３６）。次いで、切替部７３は、全ての一時的な周波数帯域について割当て判定用の閾値との比較が終了したか否かを判断する（ステップＳ４０）。全ての一時的な周波数帯域について割当て判定用の閾値との比較が終了していない場合（ステップＳ４０：Ｎｏ）、ステップＳ３４に戻る。
【００５０】
ステップＳ３４以降の処理を繰り返す中で、一時的な周波数帯域の受信電力が割当て判定用の閾値よりも大きくなくなる場合がある（ステップＳ３５：Ｎｏ）。この場合で、かつ前記連続数が帯域判定用の閾値よりも大きい場合（ステップＳ３７：Ｙｅｓ）、切替部７３は、この時点まで連続していた、受信電力が割当て判定用の閾値よりも大きい一時的な周波数帯域の集合を、第２の測定部７２の周波数帯域として設定する（ステップＳ３８）。そして、中継局装置７１は、第２の周波数帯域を切り替える処理を終了する。
【００５１】
一方、ステップＳ３４以降の処理を繰り返す中で、一時的な周波数帯域の受信電力が割当て判定用の閾値よりも大きくなくなり（ステップＳ３５：Ｎｏ）、かつ前記連続数が帯域判定用の閾値よりも大きくない場合（ステップＳ３７：Ｎｏ）、前記連続数がリセットされ（ステップＳ３９）、ステップＳ４０へ進む。ステップＳ３９で前記連続数がリセットされたとき、またはステップＳ３６で前記連続数がインクリメントされたときに、全ての一時的な周波数帯域について割当て判定用の閾値との比較が終了している場合がある（ステップＳ４０：Ｙｅｓ）。この場合、切替部７３は、前記連続数を帯域判定用の閾値と比較する（ステップＳ４１）。
【００５２】
前記連続数が帯域判定用の閾値よりも大きい場合（ステップＳ４１：Ｙｅｓ）、切替部７３は、この時点まで連続していた、受信電力が割当て判定用の閾値よりも大きい一時的な周波数帯域の集合を、第２の測定部７２の周波数帯域として設定する（ステップＳ４２）。一方、前記連続数が帯域判定用の閾値よりも大きくない場合（ステップＳ４１：Ｎｏ）、切替部７３は、システムの周波数帯域を、第２の測定部７２の周波数帯域として設定する（ステップＳ４３）。そして、中継局装置７１は、第２の周波数帯域を切り替える処理を終了する。第２の周波数帯域を切り替える処理は、中継局装置７１が稼働を開始するときに実施されたり、稼働中に周期的に実施される。基準信号の受信電力を推定し、増幅度を決定する処理については、実施例２と同様である。
【００５３】
実施例４によれば、実施例２と同様の効果が得られる。また、データ信号の割り当て状況に応じて、受信電力の測定対象となる第２の周波数帯域を切り替えることができる。第２の周波数帯域が実施例３よりも細かく分割されている場合に、実施例４を適用してもよい。なお、割当て判定用の閾値よりも受信電力が大きい一時的な周波数帯域の連続数が、帯域判定用の閾値よりも大きくならない場合、基準信号を含む第１の周波数帯域を除くシステムの周波数帯域、すなわち前記周波数帯域Ｙを、第２の測定部７２の周波数帯域として設定してもよい。
【００５４】
（実施例５）
・無線通信装置の説明
図１４は、実施例５にかかる無線通信装置の一例を示すブロック図である。実施例５は、実施例２において、電源部を２個設けた例である。図１４に示すように、中継局装置８１は、実施例２の中継局装置３１における電源部４７の代わりに、第１の電源部８２および第２の電源部８３を備えている。図１４において、一点鎖線は第１の電源部８２に接続された電源線８４を表し、二点鎖線は第２の電源部８３に接続された電源線８５を表す。
【００５５】
第１の電源部８２は、第１の測定部４４、第２の測定部４５、推定部４６および記憶部４８に、それら各部を動作させる駆動電圧を供給する。第２の電源部８３は、推定部４６による基準信号の受信電力の推定結果に基づいて、第１の増幅部４０、第２の増幅部４１、第１の調整部４２および第２の調整部４３に、それら各部を動作させる駆動電圧を供給する。その他の構成は、実施例２と同様である。
【００５６】
・無線通信方法の説明
図１５は、実施例５にかかる無線通信方法の一例を示すフローチャートである。図１５に示すように、処理が開始されると、まず、中継局装置８１は、第１の電源部８２を稼働する（ステップＳ５１）。それによって、第１の測定部４４、第２の測定部４５、推定部４６および記憶部４８に駆動電圧が供給され、これら各部が稼働する。
【００５７】
次いで、中継局装置８１は、実施例２のステップＳ１２と同様にして、推定部４６により、基準信号の受信電力を推定する（ステップＳ５２）。次いで、中継局装置８１は、推定部４６により、基準信号の受信電力の推定値と稼働判定用の閾値とを比較する（ステップＳ５３）。比較の結果、基準信号の受信電力の推定値が稼働判定用の閾値よりも小さくない場合（ステップＳ５３：Ｎｏ）、中継局装置８１での中継動作を行わずに、ステップＳ５２に戻り、ステップＳ５２およびステップＳ５３の処理を繰り返す。
【００５８】
基準信号の受信電力の推定値が稼働判定用の閾値よりも小さい場合（ステップＳ５３：Ｙｅｓ）、中継局装置８１は、第２の電源部８３を稼働する（ステップＳ５４）。それによって、第１の増幅部４０、第２の増幅部４１、第１の調整部４２および第２の調整部４３に駆動電圧が供給され、これら各部が稼働する。次いで、中継局装置８１は、実施例２のステップＳ１４およびステップＳ１５と同様にして、増幅度を決定し（ステップＳ５５、ステップＳ５６）、決定した増幅度でもって、基地局と端末局との間の信号の中継を開始する。そして、ステップＳ５２に戻り、中継局装置８１は、ステップＳ５２以降の動作を周期的に実施する。
【００５９】
実施例５によれば、実施例２と同様の効果が得られる。また、中継動作を行わないときには、増幅部４０，４１および調整部４２，４３への駆動電圧の供給を停止することができるので、消費電力を減らすことができる。
【００６０】
（実施例６）
・無線通信装置の説明
図１６は、実施例６にかかる無線通信装置の一例を示すブロック図である。実施例６は、実施例５において、配下に端末局が存在しない場合、中継動作を行わないようにした例である。図１６に示すように、中継局装置９１は、実施例５の中継局装置８１の構成に加えて、第３の測定部９２を備えている。
【００６１】
第３の測定部９２は、第３のフィルタ部３８を通過した上り回線の信号に対してシステムの周波数帯域の受信電力を測定する。または、第３の測定部９２は、第３のフィルタ部３８を通過した上り回線の信号に対して、システムの周波数帯域のうちの所定の周波数帯域の受信電力を測定する。推定部４６は、第３の測定部９２により測定された受信電力と負荷判定用の閾値とを比較することによって、配下に端末局が存在するか否かを判定する。例えば、推定部４６は、第３の測定部９２により測定された受信電力が負荷判定用の閾値よりも大きい場合に配下に端末局が存在すると判定し、第３の測定部９２により測定された受信電力が負荷判定用の閾値よりも大きくない場合に配下に端末局が存在しないと判定してもよい。
【００６２】
記憶部４８は、負荷判定用の閾値を保持している。負荷判定用の閾値は、予め設定されている。第２の電源部８３は、推定部４６により配下に端末局が存在すると判定された場合に、第１の増幅部４０、第２の増幅部４１、第１の調整部４２および第２の調整部４３に、それら各部を動作させる駆動電圧を供給する。その他の構成は、実施例５と同様である。
【００６３】
・無線通信方法の説明
図１７は、実施例６にかかる無線通信方法の一例を示すフローチャートである。図１７に示すように、処理が開始されると、まず、中継局装置９１は、第１の電源部８２を稼働する（ステップＳ６１）。それによって、第１の測定部４４、第２の測定部４５、推定部４６および記憶部４８に駆動電圧が供給され、これら各部が稼働する。
【００６４】
次いで、中継局装置９１は、実施例２のステップＳ１２と同様にして、推定部４６により、基準信号の受信電力を推定する（ステップＳ６２）。中継局装置９１は、第３の測定部９２により、上り回線の信号に対してシステムの周波数帯域の受信電力を測定する（ステップＳ６３）。第３の測定部９２は、第３のフィルタ部３８を通過した上り回線の信号に対して、システムの周波数帯域のうちの所定の周波数帯域の受信電力を測定してもよい。次いで、中継局装置９１は、推定部４６により、基準信号の受信電力の推定値と稼働判定用の閾値とを比較する（ステップＳ６４）。比較の結果、基準信号の受信電力の推定値が稼働判定用の閾値よりも小さくない場合（ステップＳ６４：Ｎｏ）、中継局装置９１での中継動作を行わずに、ステップＳ６２に戻り、ステップＳ６２からステップＳ６４までの処理を繰り返す。
【００６５】
基準信号の受信電力の推定値が稼働判定用の閾値よりも小さい場合（ステップＳ６４：Ｙｅｓ）、中継局装置９１は、推定部４６により、第３の測定部９２により測定された受信電力と負荷判定用の閾値とを比較する（ステップＳ６５）。比較の結果、第３の測定部９２により測定された受信電力が負荷判定用の閾値よりも大きくない場合（ステップＳ６５：Ｎｏ）、中継局装置９１での中継動作を行わずに、ステップＳ６２に戻り、ステップＳ６２からステップＳ６５までの処理を繰り返す。
【００６６】
第３の測定部９２により測定された受信電力が負荷判定用の閾値よりも大きい場合（ステップＳ６５：Ｙｅｓ）、中継局装置９１は、第２の電源部８３を稼働する（ステップＳ６６）。それによって、第１の増幅部４０、第２の増幅部４１、第１の調整部４２および第２の調整部４３に駆動電圧が供給され、これら各部が稼働する。次いで、中継局装置９１は、実施例２のステップＳ１４およびステップＳ１５と同様にして、増幅度を決定し（ステップＳ６７、ステップＳ６８）、決定した増幅度でもって、基地局と端末局との間の信号の中継を開始する。そして、ステップＳ６２に戻り、中継局装置９１は、ステップＳ６２以降の動作を周期的に実施する。上述したように、第３の測定部９２により測定された受信電力が負荷判定用の閾値よりも大きくない場合には、増幅度を決定する処理が行われない。従って、増幅度は、基準信号の受信電力の推定値および第３の測定部９２により測定された受信電力の両方に基づいて制御されることになる。実施例６によれば、実施例５と同様の効果が得られる。
【００６７】
上述した実施例１、２、３、４、５、６に関し、さらに以下の付記を開示する。
【００６８】
（付記１）基準信号を含む下り回線の信号の第１の周波数帯域の受信電力を測定する第１の測定部と、該下り回線の信号の第２の周波数帯域の受信電力を測定する第２の測定部と、該第１の測定部により測定された受信電力および該第２の測定部により測定された受信電力に基づいて、該基準信号の受信電力を推定する推定部と、を備えることを特徴とする無線通信装置。
【００６９】
（付記２）前記第１の周波数帯域は、前記基準信号の周波数を含み、前記第２の周波数帯域は、システムの周波数帯域、該システムの周波数帯域のうちの前記第１の周波数帯域を除く周波数帯域、または該システムの周波数帯域のうちの任意の一部の周波数帯域、のいずれかであることを特徴とする付記１に記載の無線通信装置。
【００７０】
（付記３）前記下り回線の信号の受信状態に基づいて、前記第２の周波数帯域を、システムの周波数帯域、該システムの周波数帯域のうちの前記第１の周波数帯域を除く周波数帯域、または該システムの周波数帯域のうちの任意の一部の周波数帯域、のうちの２または３の周波数帯域の間で動的に切り替える切替部、を備えることを特徴とする付記２に記載の無線通信装置。
【００７１】
（付記４）受信信号を増幅する増幅部、を備え、該増幅部の動作は、前記推定部により推定された前記基準信号の受信電力に基づいて制御されることを特徴とする付記１〜３のいずれか一つに記載の無線通信装置。
【００７２】
（付記５）前記増幅部の増幅度は、前記推定部により推定された前記基準信号の受信電力に基づいて制御されることを特徴とする付記４に記載の無線通信装置。
【００７３】
（付記６）上り回線の信号の周波数帯域の受信電力を測定する第３の測定部、を備えることを特徴とする付記１〜３のいずれか一つに記載の無線通信装置。
【００７４】
（付記７）前記第３の測定部により測定される周波数帯域は、システムの周波数帯域、または該システムの周波数帯域のうちの任意の一部の周波数帯域、のいずれかであることを特徴とする付記６に記載の無線通信装置。
【００７５】
（付記８）受信信号を増幅する増幅部、を備え、該増幅部の動作は、前記推定部により推定された前記基準信号の受信電力、および前記第３の測定部により測定された前記上り回線の信号の受信電力に基づいて制御されることを特徴とする付記６または７に記載の無線通信装置。
【００７６】
（付記９）前記増幅部の増幅度は、前記推定部により推定された前記基準信号の受信電力、および前記第３の測定部により測定された前記上り回線の信号の受信電力に基づいて制御されることを特徴とする付記８に記載の無線通信装置。
【００７７】
（付記１０）基準信号を含む下り回線の信号を送信する基地局、該基地局から送信された下り方向の信号を受信する端末局、および該基地局と該端末局との間で信号を中継する中継局、を備え、該中継局は、該基準信号を含む下り回線の信号の第１の周波数帯域の受信電力を測定する第１の測定部と、該下り回線の信号の第２の周波数帯域の受信電力を測定する第２の測定部と、該第１の測定部により測定された受信電力および該第２の測定部により測定された受信電力に基づいて、該基準信号の受信電力を推定する推定部と、を備えることを特徴とする無線通信システム。
【００７８】
（付記１１）前記第１の周波数帯域は、前記基準信号の周波数を含み、前記第２の周波数帯域は、システムの周波数帯域、該システムの周波数帯域のうちの前記第１の周波数帯域を除く周波数帯域、または該システムの周波数帯域のうちの任意の一部の周波数帯域、のいずれかであることを特徴とする付記１０に記載の無線通信システム。
【００７９】
（付記１２）基準信号を含む下り回線の信号の第１の周波数帯域の受信電力を測定する第１の測定ステップと、該下り回線の信号の第２の周波数帯域の受信電力を測定する第２の測定ステップと、該第１の測定ステップで測定された受信電力および該第２の測定ステップで測定された受信電力に基づいて、該基準信号の受信電力を推定する推定ステップと、を含むことを特徴とする無線通信方法。
【００８０】
（付記１３）前記第１の周波数帯域は、前記基準信号の周波数を含み、前記第２の周波数帯域は、システムの周波数帯域、該システムの周波数帯域のうちの前記第１の周波数帯域を除く周波数帯域、または該システムの周波数帯域のうちの任意の一部の周波数帯域、のいずれかであることを特徴とする付記１２に記載の無線通信方法。
【符号の説明】
【００８１】
１  基地局
２  中継局
３，４  端末局
１１，３１，６１，７１，８１，９１  中継局装置
１２，４４  第１の測定部
１３，４５，６２，６３，７２  第２の測定部
１４，４６  推定部
２２  基準信号
６４，７３  切替部
４０，４１  増幅部
９２  第３の測定部
【図１】
0005407812.tif 000002
【図２】
0005407812.tif 000003
【図３】
0005407812.tif 000004
【図４】
0005407812.tif 000005
【図５】
0005407812.tif 000006
【図６】
0005407812.tif 000007
【図７】
0005407812.tif 000008
【図８】
0005407812.tif 000009
【図９】
0005407812.tif 000010
【図１０】
0005407812.tif 000011
【図１１】
0005407812.tif 000012
【図１２】
0005407812.tif 000013
【図１３】
0005407812.tif 000014
【図１４】
0005407812.tif 000015
【図１５】
0005407812.tif 000016
【図１６】
0005407812.tif 000017
【図１７】
0005407812.tif 000018